(57)【特許請求の範囲】
【請求項１】
切断した電線（１）の端末部に被せるための絶縁用端末キャップ（１０）であって、
不透明なゴム製であるとともに先端部が閉じられた円筒状の形状を有するキャップ本体（１１）と、
該キャップ本体の先端部に取り付けられた挿入確認部材（２０）とを具備し、
前記挿入確認部材が、
外側円板（２１）と、
内側円板（２２）と、
前記外側円板と前記内側円板とを連結するための連結棒（２３）とを備え、
前記キャップ本体の先端部の中央部に、前記挿入確認部材の前記連結棒を貫通させて該挿入確認部材を該キャップ本体の先端部に取り付けるための貫通孔（１１ａ）が形成されている、
ことを特徴とする、絶縁用端末キャップ。
【請求項２】
前記挿入確認部材が、内周面が前記連結棒の前記外側円板の近傍に取り付けられた円環板（２４）をさらに備え、
該円環板が、前記挿入確認部材の前記外側円板と前記キャップ本体の先端面とを当接させたときに該キャップ本体内に位置するように前記連結棒に取り付けられている、
ことを特徴とする、請求項１記載の絶縁用端末キャップ。
【請求項３】
前記外側および内側円板の径（Ｇ）が同じとされており、
前記円環板の外径（Ｌ）が、前記外側および内側円板の径よりも小さく、かつ、前記キャップ本体の前記貫通孔の径（Ｅ）よりも大きくされていることを特徴とする、請求項２記載の絶縁用端末キャップ。
【請求項４】
前記挿入確認部材が、ポリエチレン系樹脂性のものであることを特徴とする、請求項１乃至３いずれかに記載の絶縁用端末キャップ。
【発明の詳細な説明】
【技術分野】
【０００１】
本発明は、切断した架空電線の端末絶縁処理に使用するのに好適な絶縁用端末キャップに関する。
【背景技術】
【０００２】
従来、架空電線の工事では、切断した架空電線の端末部を露出したままの状態で放置すると配電線事故や感電事故が生じるおそれがあるため、切断した架空電線の端末部にゴム製の絶縁用端末キャップを被せている（たとえば、下記の特許文献１参照）。
【先行技術文献】
【特許文献】
【０００３】
【特許文献１】特開２００７−３３５１３３号公報
【発明の概要】
【発明が解決しようとする課題】
【０００４】
しかしながら、従来の絶縁用端末キャップは不透明なゴム製であるため、架空電線の端末部が絶縁用端末キャップに完全に挿入されたか否かを目視で確認することができないという問題があった。
【０００５】
本発明の目的は、電線の端末部が完全に挿入されたことを一目で確認することができる絶縁用端末キャップを提供することにある。
【課題を解決するための手段】
【０００６】
本発明の絶縁用端末キャップは、切断した電線（１）の端末部に被せるための絶縁用端末キャップ（１０）であって、不透明なゴム製であるとともに先端部が閉じられた円筒状の形状を有するキャップ本体（１１）と、該キャップ本体の先端部に取り付けられた挿入確認部材（２０）とを具備し、前記挿入確認部材が、外側円板（２１）と、内側円板（２２）と、前記外側円板と前記内側円板とを連結するための連結棒（２３）とを備え、前記キャップ本体の先端部の中央部に、前記挿入確認部材の前記連結棒を貫通させて該挿入確認部材を該キャップ本体の先端部に取り付けるための貫通孔（１１ａ）が形成されていることを特徴とする。
ここで、前記挿入確認部材が、内周面が前記連結棒の前記外側円板の近傍に取り付けられた円環板（２４）をさらに備え、該円環板が、前記挿入確認部材の前記外側円板と前記キャップ本体の先端面とを当接させたときに該キャップ本体内に位置するように前記連結棒に取り付けられていてもよい。
前記外側および内側円板の径（Ｇ）が同じとされており、前記円環板の外径（Ｌ）が、前記外側および内側円板の径よりも小さく、かつ、前記キャップ本体の前記貫通孔の径（Ｅ）よりも大きくされていてもよい。
前記挿入確認部材が、ポリエチレン系樹脂性のものであってもよい。
【発明の効果】
【０００７】
本発明の絶縁用端末キャップは、以下に示す効果を奏する。
（１）キャップ本体の先端部に挿入確認部材を取り付けることにより、電線の端末部が絶縁用端末キャップに完全に挿入されたことを一目で確認することができる。
（２）電線の端末部を絶縁用端末キャップに完全に挿入することができるため、絶縁用端末キャップの脱落を防止することができる。
（３）電線の端末部が絶縁用端末キャップの脱落によって露出することがなくなるため、配電線事故や感電事故を防止することができる。
（４）絶縁用端末キャップを繰り返して使用することができる。
【図面の簡単な説明】
【０００８】
【図１】本発明の一実施例による絶縁用端末キャップ１０の構成について説明するための図である。
【図２】図１に示した絶縁用端末キャップ１０の使用方法について説明するための図である。
【発明を実施するための形態】
【０００９】
上記の目的を、キャップ本体の先端部に挿入確認部材を取り付けることにより実現した。
【実施例１】
【００１０】
以下、本発明の絶縁用端末キャップの実施例について図面を参照して説明する。
本発明の絶縁用端末キャップは、先端部に挿入確認部材を取り付けて、切断した電線の端末部が挿入されると挿入確認部材が電線の先端部によって押されて絶縁用端末キャップの先端面から飛び出す構造とすることにより、電線の端末部が絶縁用端末キャップに完全に挿入されたことを一目で確認できるようにしたことを特徴とする。
【００１１】
そのため、本発明の一実施例による絶縁用端末キャップ１０は、図１（ａ）に示すように、不透明なゴム製であるとともに先端部が閉じられた円筒状の形状を有するキャップ本体１１と、キャップ本体１１の先端部に取り付けられた挿入確認部材２０とを具備する。
【００１２】
ここで、キャップ本体１１の先端部の中央部には、図１（ｂ）に示すように、挿入確認部材２０の後述の連結棒２３を貫通させるための貫通孔１１ａが形成されている。
また、キャップ本体１１の末端部の中央部には、図１（ｃ）に示すように、架空電線１の端末部を貫通させるための貫通孔１１ｂが形成されているとともに（図２（ｂ）参照）、貫通孔１１ｂを塞ぐゴム製の薄い円板状の蓋１２が取り付けられている。
なお、蓋１２には、架空電線１の端末部を押し込んでキャップ本体１１内に挿入することができるように、８本の直線状の切込みが蓋１２の中心から放射状に４５°の間隔で配設されている。
【００１３】
挿入確認部材２０は、ポリエチレン系樹脂性のものであり、図１（ｄ）に示すように、外側円板２１と、内側円板２２と、先端部が外側円板２１の裏面（内側円板２２側の面）中央部に取り付けられるとともに末端部が内側円板２２の表面（外側円板２１側の面）中央部に取り付けられた、かつ、外側円板２１と内側円板２２とを連結するための連結棒２３（丸棒）と、内周面が連結棒２３の外側円板２１の近傍に取り付けられた円環板２４とを備える。
挿入確認部材２０は、連結棒２３がキャップ本体１１の貫通孔１１ａに貫通されてキャップ本体１１に取り付けられている（図１（ａ）参照）。
また、円環板２４は、外側円板２１とキャップ本体１１の先端面とを当接させたときにキャップ本体１１内に位置するように、連結棒２３に取り付けられている。
【００１４】
以下に、絶縁用端末キャップ１０の寸法の例を示す。
（１）小型の絶縁用端末キャップ１０の寸法の一例
キャップ本体１１の長さＡ＝１３５ｍｍ
キャップ本体１１の末端部（末端面）の径Ｂ＝３８ｍｍ
キャップ本体１１の貫通孔１１ｂの径Ｃ＝１５ｍｍ
キャップ本体１１の先端部（先端面）の径Ｄ＝２０ｍｍ
キャップ本体１１の貫通孔１１ａの径Ｅ＝８ｍｍ
キャップ本体１１の肉厚Ｆ＝３ｍｍ
外側および内側円板２１，２２の径Ｇ＝１３ｍｍ
挿入確認部材２０の長さＨ＝３１ｍｍ
外側および内側円板２１，２２の厚さＩ＝３ｍｍ
外側円板２１と円環板２４との間隔Ｊ＝４ｍｍ
連結棒２３の径Ｋ＝７ｍｍ
円環板２４の外径Ｌ＝９ｍｍ
（２）大型の絶縁用端末キャップ１０の寸法の一例
キャップ本体１１の長さＡ＝１５５ｍｍ
キャップ本体１１の末端部の径Ｂ＝４９ｍｍ
キャップ本体１１の貫通孔１１ｂの径Ｃ＝２５ｍｍ
キャップ本体１１の先端部の径Ｄ＝３５ｍｍ
キャップ本体１１の貫通孔１１ａの径Ｅ＝８ｍｍ
キャップ本体１１の肉厚Ｆ＝３ｍｍ
外側および内側円板２１，２２の径Ｇ＝２８ｍｍ
挿入確認部材２０の長さＨ＝３１ｍｍ
外側および内側円板２１，２２の厚さＩ＝３ｍｍ
外側円板２１と円環板２４との間隔Ｊ＝４ｍｍ
連結棒２３の径Ｋ＝７ｍｍ
円環板２４の外径Ｌ＝９ｍｍ
【００１５】
次に、絶縁用端末キャップ１０の使用方法について、図２（ａ）〜（ｃ）を参照して説明する。
架空電線１の端末部を横向きにして絶縁用端末キャップ１０に被せる場合には、挿入確認部材２０の外側円板２１とキャップ本体１１とが当接するまで、挿入確認部材２０をキャップ本体１１に向かって押し込む（図２（ａ）の白抜き矢印参照）。
これにより、挿入確認部材２０の円環板２４がキャップ本体１１の貫通孔１１ａを貫通してキャップ本体１１内に押し入れられる。
【００１６】
続いて、架空電線１の端末部の先端面が挿入確認部材２０の内側円板２２に当接し挿入確認部材２０全体がキャップ本体１１の先端部に向かって押されて内側円板２２とキャップ本体１１とが当接するまで、架空電線１の端末部をキャップ本体１１の蓋１２を通してキャップ本体１１に挿入する（図２（ａ）の白抜き矢印参照）。
これにより、挿入確認部材２０の円環板２４がキャップ本体１１の貫通孔１１ａを貫通してキャップ本体１１外に押し出されるとともに、挿入確認部材２０の連結棒２３の大部分がキャップ本体１１外に押し出されるため（図２（ｂ）の矢印参照）、架空電線１の端末部が絶縁用端末キャップ１０に完全に挿入されたことを一目で確認することができる。
【００１７】
その後、架空電線１の工事が終って架空電線１の端末部を絶縁用端末キャップ１０から外すと、挿入確認部材２０の外側円板２１とキャップ本体１１とが当接するまで挿入確認部材２０をキャップ本体１１に向かって押し込んでおくことにより、絶縁用端末キャップ１０を再利用することができる。
【００１８】
架空電線１の端末部を上向きにして絶縁用端末キャップ１０に被せる場合にも、架空電線１の端末部を横向きに絶縁用端末キャップ１０に挿入する場合と同様の作業手順を行うことにより、架空電線１の端末部が絶縁用端末キャップ１０に完全に挿入されたことを一目で確認することができる。
【００１９】
また、架空電線１の工事では、切断した架空電線１の端末部を下向きにして絶縁用端末キャップ１０に挿入する場合もあるが、この場合には、キャップ本体１１の先端部を下にした状態で絶縁用端末キャップ１０を架空電線１の端末部に被せることになるため、挿入確認部材２０に円環板２４が取り付けられていないと、挿入確認部材２０が外側円板２１の重さで落ちてしまう結果（図２（ｃ）の矢印参照）、架空電線１の端末部が絶縁用端末キャップ１０に完全に挿入されたことを確認することができなくなる。
そこで、挿入確認部材２０に円環板２４を取り付けることにより、図２（ｃ）に示すように円環板２４によって挿入確認部材２０が外側円板２１の重さで落ちてしまうことを防止することができるため、上述した架空電線１の端末部を横向きに絶縁用端末キャップ１０に挿入する場合と同様の作業手順を行うことにより、架空電線１の端末部が絶縁用端末キャップ１０に完全に挿入されたことを一目で確認することができる。
【００２０】
絶縁用端末キャップ１０は架空電線以外の電線の端末絶縁処理にも使用することができるが、切断した電線の端末部を下向きにして絶縁用端末キャップ１０に挿入する場合がないときには、挿入確認部材２０に円環板２４を取り付けなくてもよい。
【符号の説明】
【００２１】
１  架空電線
１０  絶縁用端末キャップ
１１  キャップ本体
１１ａ，１１ｂ  貫通孔
１２  蓋
２０  挿入確認部材
２１  外側円板
２２  内側円板
２３  連結棒
２４  円環板
Ａ，Ｈ  長さ
Ｂ，Ｃ，Ｄ，Ｅ，Ｇ，Ｋ  径
Ｆ  肉厚
Ｉ  厚さ
Ｊ  間隔
Ｌ  外径
【図１】
0006508456.tif 000002
【図２】
0006508456.tif 000003